(57)【要約】【課題】  人の体内で発生する活性酸素は加上に存在すると健康を保てなくなる。その上現代社会の環境は公害ガス、自動車の排気ガス、農薬、食品添加物、電波、超音波、ストレス、アルコール、タバコなど活性酸素を体内に過剰に発生させる環境にある。【解決手段】  空気を吸込み吹出す送風機と、送風機を内蔵し送風機からの空気を外部に吹出す吹出口を有する室内機本体と、室内機本体内に設けられ抗酸化作用を有する物質を保有するとともに、本体に設けられ常時は蓋で閉鎖されている取り出し口から取り出す取り出し部が取り付けられており、この取り出し部は取り出し口から挿入、脱着が容易に行えるように室内機本体内の送風機の駆動用モータが存在しない側面側に設けられた保有体と、保有体に接触し加熱してもしくは空気を介し加熱して抗酸化作用を有する物質の放出を促進させる加熱手段と、を備え、加熱手段により抗酸化作用を有する物質の放出量を調整する。【選択図】        図７
2008070112.tif 000002
【特許請求の範囲】
【請求項１】
空気を吸込み吹出す送風機と、前記送風機を内蔵し前記送風機からの空気を外部に吹出す吹出口を有する室内機本体と、前記室内機本体内に設けられ抗酸化作用を有する物質を保有するとともに、前記本体に設けられ常時は蓋で閉鎖されている取り出し口から取り出す取り出し部が取り付けられており、この取り出し部は前記取り出し口から挿入、脱着が容易に行えるように前記室内機本体内の前記送風機の駆動用モータが存在しない側面側に設けられた保有体と、前記保有体に接触し加熱してもしくは空気を介し加熱して抗酸化作用を有する物質の放出を促進させる加熱手段と、を備え、前記加熱手段により前記抗酸化作用を有する物質の放出量を調整することを特徴とする空気調和機。
【請求項２】
前記保有体から前記抗酸化物質を放出させるように前記保有体の表面へ強制送風を行うことを特徴とする請求項１記載の空気調和機。
【発明の詳細な説明】
【技術分野】
【０００１】
この発明は、抗酸化作用を有する物質を放出し空気と共に送風する空気調和機に関するものである。
【背景技術】
【０００２】
現在、日本人の死因のトップを占める三大生活習慣病であるがん、心臓病、脳卒中をはじめ糖尿病、白内障、老人性痴呆症、肝炎、腎炎、痛風、肺気腫など、病原菌による感染症を除いた、あらゆる病気のほぼ９割に活性酸素がなんらかの形で悪影響を与えているといわれている。活性酸素はからだの各組織に酸化ストレスを浴びせながら機能を低下させていき、これが老化現象の要因ともいわれている。
【０００３】
これに加え、現代社会の環境は、公害ガス、自動車の排気ガス、農薬、食品添加物、電波や超音波、ストレス、アルコール、タバコなど、活性酸素を体内に過剰に発生させる環境にある。
【０００４】
活性酸素に関して解説されている著作物は多々あり、たとえば、「激増  活性酸素が死を招く、丹羽靱負著、日本テレビ発行、１９９４年１１月２２日発行」などがあげられる。活性酸素は、人間をも含めた動植物の体内にあって、細菌・かび・ウィルス・異物などが体内に侵入してくると、血液中に存在する食細胞がその異物を食べて身体を障害から守っている。食細胞の中では活性酸素がつくられ、取り込んだ異物を溶かして処理し、身体の防衛上には必要かつ重要な役割を担っている。
【０００５】
しかし、適量に体内で産生された活性酸素は、自己防衛上、身体にとって必要かつ有益なものであるが、過剰に生成されると、逆に自分の正常な組織を細菌や異物のように攻撃し、多くの障害を身体にもたらし、様々な疾患を捲き起こす。また、血液中の活性酸素と脂質が反応すると過酸化脂質となり血管壁に付着し、血管を細く、また脆くする。その結果、動脈硬化の進行や血管の狭小化で脳血栓や脳梗塞がおこりやすくなり、また脳出血の一因ともなる。
【０００６】
動植物はこのような状況に対処するため、この活性酸素が増加しすぎて、自分の身体の細胞や臓器を攻撃しようとした場合、動植物の体内にあるＳＯＤ（Ｓｕｐｅｒ  Ｏｘｉｄｅ  Ｄｉｓｍｕｔａｓｅ）という酵素が、過剰に増加した活性酸素を除去させる働きをする。このＳＯＤ酵素と活性酸素のバランスが保たれている状態が健康な状態とされている。
【０００７】
しかし、このＳＯＤ酵素は年齢とともに活動力が低下し、とりわけ４０歳過ぎに急激に低下すると言われており、これを補うために医薬品、食品、化粧品などの分野で抗酸化物質が開発され活用されている。
【０００８】
抗酸化物質とは、分子量の大きい高分子抗酸化剤では、たとえば、ＳＯＤ、カタラーゼ、グルタチオン、リン酸グルコース、パーオキスターゼ、脱水素酵素などの酵素類、分子量の小さい低分子抗酸化剤では、たとえば、ビタミンＥ、Ｃ、Ｂ２、カテキンなどに代表されるポリフェノール類、フラボノイド、タンニン、カロチンなどがあげられる。
【０００９】
従来これらの抗酸化物質は、薬品、食品、化粧品などの形態で供給され、人体に直接服用されるか皮膚表面に塗るなどの形で利用されていた（例えば、特許文献１、特許文献２参照。）。
【００１０】
抗酸化剤そのものに関するものでは、食品、化粧品、医薬品等に利用することを目的としたものもある（例えば、特許文献３参照。）。
【００１１】
また、室内に物質を放出する手段としては、防かび剤を室内に徐放し、清潔な空気環境を得ることと、防かび剤の徐放性能を長期間にわたり維持することに関するものもある（例えば、特許文献４参照。）。
【００１２】
【特許文献１】特開平６−１７２１２３号公報
【特許文献２】特開平５−１５６２５０号公報
【特許文献３】特開平６−２５６６３号公報
【特許文献４】特開２０００−１３５２７９号公報
【発明の開示】
【発明が解決しようとする課題】
【００１３】
従来の、食品、化粧品、医薬品等の抗酸化物質の摂取様式では、服用して体の内部に取り込む。あるいは、化粧などにより体の外部から効果を得るというどちらかの手段からしか抗酸化物質の効能を得ることができ無いという問題があった。また食品などで抗酸化物質を体内に取り込むとしても単独の処置であって、活性酸素を体内に過剰に発生させる環境対策とは別個の処置で限られた影響しかえられないという問題があった。
【００１４】
本発明は、上記問題を解決するためになされたものであり、一般的に広く普及している空調機により抗酸化作用を有する物質を空気中に放出させることにより、健康に良い環境を得ることを目的とする。また本発明は室内の空気中に抗酸化作用を有する物質を放出させ、呼吸により体内に抗酸化作用を有する物質を含む空気を取り込み、また空気中に曝露されている皮膚表面等から抗酸化作用を有する物質の抗酸化効果を同時に得ることを目的とする。また本発明は室内の酸化物質を空気を介して還元して清潔にするとともに、健康的で快適な室内環境を提供するものである。また本発明は健康的な空気調和機やその運転方法に対し簡単で実用的なものを得ることを目的とする。
【課題を解決するための手段】
【００１５】
この発明に係る空気調和機は、空気を吸込み吹出す送風機と、送風機を内蔵し送風機からの空気を外部に吹出す吹出口を有する室内機本体と、室内機本体内に設けられ抗酸化作用を有する物質を保有するとともに、本体に設けられ常時は蓋で閉鎖されている取り出し口から取り出す取り出し部が取り付けられており、この取り出し部は取り出し口から挿入、脱着が容易に行えるように室内機本体内の送風機の駆動用モータが存在しない側面側に設けられた保有体と、保有体に接触し加熱してもしくは空気を介し加熱して抗酸化作用を有する物質の放出を促進させる加熱手段と、を備え、加熱手段により抗酸化作用を有する物質の放出量を調整するものである。
【発明の効果】
【００１６】
この発明に係わる空気調和機は、空気を吸込み吹出す送風機と、送風機を内蔵し送風機からの空気を外部に吹出す吹出口を有する室内機本体と、室内機本体内に設けられ抗酸化作用を有する物質を保有するとともに、本体に設けられ常時は蓋で閉鎖されている取り出し口から取り出す取り出し部が取り付けられており、この取り出し部は取り出し口から挿入、脱着が容易に行えるように室内機本体内の送風機の駆動用モータが存在しない側面側に設けられた保有体と、保有体に接触し加熱してもしくは空気を介し加熱して抗酸化作用を有する物質の放出を促進させる加熱手段と、を備え、加熱手段により抗酸化作用を有する物質の放出量を調整するので、保有体の挿入・脱着が容易に行える構造で抗酸化効果を安定して効率的に供給でき、健康的な生活環境を提供することができる。
【発明を実施するための最良の形態】
【００１７】
実施の形態１．
図１は本発明の実施の形態１に係わる空調機の室内ユニットを示す断面図であり、図１において、１は熱交換器５と室内送風機６を内蔵する室内ユニット本体、２はプレフィルタ３、空気清浄フィルタ４を設けてある空気吸込口、８は送風路内空気７の通風回路を形成するケーシング、１１は左右風向制御板９と上下風向制御板１０を設けた空気吹出口である。この室内ユニット本体１内には、側面視で室内送風機６の上流に室内送風機６を囲むように室内熱交換器５が配置される。この室内熱交換器５は前面側の下部に位置する５ａ、中央に位置する５ｂ、上部に位置する５ｄと、背面側に位置する５ｆから構成され、とくに５ｂには５ｃが、５ｄには５ｅが、５ｆには５ｇが補助熱交換器として配置され、これらはパイプを介して直列に接続されて室内熱交換器５を構成する。室内熱交換器５の上流には全面を覆う室内に浮遊する綿ホコリ等大粒子径の捕集目的としてプレフィルタ３が、プレフィルタ３と室内熱交換器５の間に花粉・ダニの死骸等のアレルゲン物質や、タバコ等の小粒子径の捕集を目的とする空気清浄フィルタ４が配置される。室内空気がこの熱交換器５を通過するように設けられたケーシング８と、室内送風機６に対し前面及び上面に設けられた吸込み口２ａ、２ｂ、下面に吹出し口１１の構成をもつ箱体により構成された空調機において、室内送風機６に抗酸化作用を有する物質を塗布、あるいは抗酸化作用を有する物質を含有させた素材により室内送風機６を形成した。塗布あるいは含有させるものは抗酸化作用を有する物質そのものでも良いし、たとえば徐放性を有する多孔質形状のマイクロカプセル内に抗酸化作用を有する物質を封入させた形態でも良い。
【００１８】
抗酸化物質とは、分子量の大きい高分子抗酸化剤では、たとえば、ＳＯＤ、カタラーゼ、グルタチオン、リン酸グルコース、パーオキスターゼ、脱水素酵素などの酵素類、分子量の小さい低分子抗酸化剤では、たとえば、ビタミンＥ、Ｃ、Ｂ２、カテキンなどに代表されるポリフェノール類、フラボノイド、タンニン、カロチンなどがあげられる。これらの抗酸化物質は、薬品、食品、化粧品などの形態で供給され、人体に直接服用されるか皮膚表面に塗るなどの形で利用されていたが、本発明ではこれらの抗酸化物質を有機系高分子に内包された状態で、あるいは抗酸化作用を有する物質を濃縮凝固した固形物の状態でエアコンなどの空気調和機の本体内部の通風回路を形成する部品の表面に取り付けたり塗布したり素材に含有させて保有体として使用する。この空調機を暖房や冷房など運転する際に保有体に送風の流れがあたり抗酸化物質が空気中に少しずつ放出される。このように空気中に分布させて空気を吸込むときに一緒に人体に取り込んだり、あるいは露出された肌などに付着させるので、合成抗酸化物でも安全性が確認されておれば良いが、茶葉抽出物やローズマリー等の香辛料抽出物などの植物からの天然物を単独仏又はそれらの混合物がより望ましい。あるいは合成されたとしてもビタミンＥなどの様に天然ものと同一で人体に安全であることが分かっているものを使用する。
【００１９】
空調機が運転し、室内送風機６が作動すると、室内の空気が吸込み口２から吸込まれ、プレフィルタ３、空気清浄フィルタ４、熱交換器５を通過して室内送風機６に接触する。室内送風機６は回転動作を行っており風の流れを生み出しており空気中に抗酸化作用を有する物質を徐放している。この室内送風機６を通過したあとの空気は抗酸化作用を有する物質を含有する送風路内空気７であり、送風路８に沿ってすすみ左右風向制御板９、上下風向制御板１０によって整流され空調機の室内ユニット外へと抗酸化作用を有する物質を含んだ空気が吹出し口１１より吹き出される。
【００２０】
本発明の別の例である抗酸化シートを使用した構造を図２に示す。図２は抗酸化シートを室内熱交換器フィンの表面に付着させた構造説明図であり、１２は熱交換器フィン、１３は抗酸化シートである。空調機の室内ユニットの基本的構成は図１と同様であるが、室内送風機６が抗酸化作用を有する物質を含まない通常のものであることと、室内熱交換器５に抗酸化作用を有する物質を付着させている点が異なる。本発明の熱交換器は、フィン表面に抗酸化作用を有する物質が付着させてあり、この手段は塗布のような形態で付着させても良いし、図２のように、熱交換器フィン１２に、熱交換器フィン１２の伝熱性能と水滴付着時の排水性を妨げずに抗酸化作用を有する物質を繊維状の基材に含浸させた抗酸化シート１３を片面側、あるいは両面側に貼りつけるような形態でもよい。塗布あるいは含浸させるものは抗酸化作用を有する物質そのものでも良いし、たとえば徐放性を有する多孔質形状のマイクロカプセル内に抗酸化作用を有する物質を封入させた形態でも良い。
【００２１】
空調機が運転し、室内送風機６が作動すると、室内の空気が吸込み口２から吸込まれ、プレフィルタ３、空気清浄フィルタ４を通過して熱交換器５に接触し通過する。熱交換器５に空気の流れが接触・通過することにより、熱交換器５表面に付着させた抗酸化を有する物質が徐放され、室内送風機６を経てケーシング８に沿ってすすみ左右風向制御板９、上下風向制御板１０によって整流され空調機の室内ユニット外へと抗酸化作用を有する物質を含んだ空気が吹出し口１１より吹き出される。
【００２２】
本発明に係わる空調機の別の例では室内ユニットの基本的構成は図１と同様であるが、図１で、室内送風機６が抗酸化作用を有する物質を含まない通常のものであることと、プレフィルタ３、あるいは空気清浄フィルタ４、あるいはプレフィルタ３と空気清浄フィルタ４の両者に抗酸化作用を有する物質を塗布や含浸させたり、あるいは抗酸化作用を有する物質を含有させた素材によりプレフィルタ３、あるいは空気清浄フィルタ４、あるいはプレフィルタ３と空気清浄フィルタ４の両者を形成する点が異なる。
【００２３】
空調機が運転し、室内送風機６が作動すると、室内の空気が吸込み口２から吸込まれ、プレフィルタ３、空気清浄フィルタ４に接触し通過する。プレフィルタ３に抗酸化作用を有する物質を塗布、あるいは抗酸化作用を有する物質を含有させた素材によりプレフィルタ３を形成している場合にはプレフィルタ３に空気が接触・通過することにより抗酸化作用を有する物質が放出される。また、空気清浄フィルタ４に抗酸化作用を有する物質を塗布、あるいは抗酸化作用を有する物質を含有させた素材により空気清浄フィルタ４を形成している場合には空気清浄フィルタ４に空気が接触・通過することにより抗酸化作用を有する物質が放出される。あるいはプレフィルタ３と空気清浄フィルタ４の両者に抗酸化作用を有する物質を塗布、あるいは抗酸化作用を有する物質を含有させた素材によりプレフィルタ３と空気清浄フィルタ４を形成している場合によっても、それぞれのフィルタに空気が接触・通過することにより抗酸化作用を有する物質が放出される。また、塗布あるいは含有させるものは抗酸化作用を有する物質そのものでも良いし、たとえば徐放性を有する多孔質形状のマイクロカプセル内に抗酸化作用を有する物質を封入させた形態でも良い。各々のフィルタを通過した抗酸化作用を有する空気はその下流にある熱交換器５、室内送風機６を経てケーシング８に沿ってすすみ左右風向制御板９、上下風向制御板１０によって整流され空調機の室内ユニット外へと抗酸化作用を有する物質を含んだ空気が吹出し口１１より吹き出される。
【００２４】
本発明の別の例に係わる空調機の室内ユニットの基本的構成は図１と同様であるが、図１と異なり、吸込み口２、ケーシング８、左右風向制御板９、上下風向制御板１０のうち、少なくともいづれか一つに抗酸化作用を有する物質を塗布や含浸したり、あるいはこれらのうち少なくともいづれか一つが抗酸化作用を有する物質を含有した素材により形成されている。あるいは、吸込み口２、ケーシング８を含む室内ユニット１本体に抗酸化作用を有する物質を塗布や含浸、あるいは抗酸化作用を有する物質を含有した素材により室内ユニット１本体が形成されている点が異なる。
【００２５】
空調機が運転し、室内送風機６が作動すると、室内の空気が吸込み口２から吸込まれ、プレフィルタ３、空気清浄フィルタ４、熱交換器５、室内送風機６を経てケーシング８に沿ってすすみ左右風向制御板９、上下風向制御板１０によって整流され空調機の室内ユニット外へと抗酸化作用を有する物質を含んだ空気が吹出し口１１より吹き出される。
【００２６】
吸込み口２に抗酸化作用を有する物質が塗布や含浸、あるいは抗酸化作用を有する物質により吸込み口２が形成されている場合には、吸込み口２に空気が接触・通過することによって吸込み口２下流へと抗酸化作用を有する物質が放出され、最終的に吹出し口１１より室内へ抗酸化作用を有する物質を含む空気が放出される。また、抗酸化作用を有する物質を塗布した、あるいは、抗酸化作用を有する物質を含有させた素材によって形成されたケーシング８、左右風向制御板９、上下風向制御板１０に空気が接触・通過することによっても同様に抗酸化作用を有する物質が徐放される。あるいは、吸込み口２、ケーシング８を含む室内ユニット１本体に抗酸化作用を有する物質が塗布されている、もしくは吸込み口２、ケーシング８を含む室内ユニット１本体が抗酸化作用を有する物質を含有させた素材により形成されている場合においても同様に抗酸化作用を有する物質が放出徐放される。またいずれの場合においても、塗布や含浸あるいは含有させるものは抗酸化作用を有する物質そのものや薬剤でも良いし、たとえば徐放性を有する多孔質形状のマイクロカプセル内に抗酸化作用を有する物質を封入させた形態でも良い。
【００２７】
図３は本発明の空調機の抗酸化物質放出ユニットの斜視図であって、１４は吸引ファン１６、抗酸化エレメント２１を内蔵した抗酸化物質放出ユニット、１５は抗酸化物質放出ユニット吸込口１７、吸引ファン吸込口１８から吸込まれる室内吸込み空気、２０は吸引ファン吹出口１９から噴出される吸引ファン吹出し空気、２２は抗酸化物質放出ユニット送風路２３を流れる抗酸化作用を有する物質を含んだ空気、２６は抗酸化物質放出ユニット吹出し部２４に設けられた抗酸化物質放出ユニット吹出口２５から吹出される抗酸化物質放出ユニット吹出し空気である。図３において、吸引ファン１６が作動することによって抗酸化物質放出ユニット１４の吸込み口１７より空気１５が吸込まれ吸引ファン吹出し口１９より吹き出される。吸引ファン吹出し空気２０は抗酸化物質放出ユニット送風路２３内に設置された抗酸化作用を有する物質を封入した抗酸化エレメント２１に接触・通過し、抗酸化作用を有する物質を含んだ空気２２となる。抗酸化物質放出ユニット送風路２３の下流には、抗酸化物質放出ユニット吹出し口２５を備えた抗酸化物質放出ユニット吹出し部２４が備え付けられ、抗酸化物質放出ユニット吹出し空気２６のごとく送出される。この抗酸化物質放出ユニット吹出し部２４は抗酸化物質放出ユニット送風路２３に対し図３のように回転可能なように組み付けられており、抗酸化物質放出ユニット吹出し口２５の方向を図のような回転方向に可変させることができる。
【００２８】
また、抗酸化エレメント２１は図３に図示してあるように、網目状に形成された枠組みのなかに抗酸化作用を有する物質を含んだ物を空気流れに対して斜めとなるように配置したものでも良い。図４は抗酸化物質放出ユニットの抗酸化ハニカムエレメントを説明する説明図で、２７は抗酸化ハニカムエレメントである。図４のようにハニカム状に形成されたフィルタに抗酸化作用を有する物質を塗布、あるいは含浸させた抗酸化ハニカムエレメント２７を抗酸化物質放出ユニット１４の争風路２３に配置しても良い。抗酸化ハニカムエレメント２７はハニカム上の高分子材料基材などに塗布や含浸させたり、あるいは含有させたり抗酸化作用を有する物質そのもので形成させても良いし、たとえば徐放性を有する多孔質形状のマイクロカプセル内に抗酸化作用を有する物質を封入させた形態でも良い。また抗酸化エレメント２１は図３のように矢印方向に抗酸化物質放出ユニット１４へ挿入・脱着ができ、すなわちユニット１４のこの部分のカバーを外して容易に交換できるような構造になっており、抗酸化エレメント２１のかわりに抗酸化ハニカムエレメント２７とした場合でも、同様に容易にエレメントが交換可能な構造となっている。
【００２９】
この抗酸化物質放出ユニット１４はこれ単体で抗酸化作用を有する物質を空気中に放出または徐放する作用を持ちあわせているため、単体で使用することで室内に抗酸化作用を有する物質を放出することが可能であるし、あるいは、扇風機、空気清浄器、加湿器、除湿器などに組み付けることでより効率的に室内に抗酸化作用を有する物質を放出して循環させることも可能である。例えばこのユニット１４単体を壁面に取り付け外部から室内に新鮮な外気を取り入れる用途に使用し新鮮な外気と抗酸化作用を有する物質を空気中に徐放する作用を同時に行うことにより、すなわち換気による室内環境への効果と抗酸化作用による人体への良好な効果の重畳により健康的な生活を可能にする。また抗酸化物質放出ユニット１４を野菜貯蔵室や冷気を循環させる回路などの冷蔵庫内に設けることにより野菜等の食品の腐敗を抗酸化作用を有する物質により押さえることが出来る。また空気清浄器や加湿器に組み付けて同時に運転させたり、同一室内に配置して一緒に運転させることにより室内環境を清潔にする効果も果たすことが出来る。この抗酸化物質放出ユニット１４はこれ単体で抗酸化作用を有する物質を空気中に徐放等放出する作用を持ちあわせているため、小型化して机上やベットの側面に取り付けられるように配置してパーソナルユースに使用すること等が出来、その場合は吹出口２５の配置と回転方向を自由に換えられるようにしておけば不健康な環境を改善でき使いやすい装置が得られる。また除湿器の場合は乾燥した空気を吹出す吹出口に抗酸化物質放出ユニットを取り付けたり、内部に設けたフィルター、送風機、風路などに抗酸化作用を有する物質を空気中に徐放可能な保有体を設けたり、捕集した水分を貯えるタンクに抗酸化作用を有する物質を含む塗料を塗装したり、蒸発器と凝縮器の２つの熱交換器の間に介在させるフィルターに抗酸化作用を有する物質を空気中に徐放可能な保有体を設けるなどが可能である。
【００３０】
図５、図６はこの抗酸化物質放出ユニット１４を空調機の室内ユニット本体に組み込んだ正面図及び断面図であって、２９は室内機の吹出しノズル２８と同じ位置に抗酸化物質放出徐放ユニット組み込み吹出口３０を配置するように室内機に組み込んだ抗酸化物質放出ユニット組み込み送風路である。図のように抗酸化物質放出ユニットを空調機に搭載した場合を示している。図において、ドレン受け皿を兼ねた空調機の吹出しノズル２８の左上方かつ、プレフィルタ３の後方（下流）に抗酸化物質放出ユニット吸込み口１７が室内空気をプレフィルタを介して吸込める位置になるように抗酸化物質放出ユニット１４が室内ユニット本体１の内部に備え付けられており、この際回転動作可能な抗酸化物質放出ユニット吹出し部２４がユニット１４の室内吸込み空気１５に対して９０°下方に向けられ、その延長上に抗酸化物質放出ユニット組み込み送風路２９が設けられ、本体ユニット１の吹出し口１１の上方に抗酸化物質放出ユニット組み込み吹出し口３０が設けられている。抗酸化物質放出ユニット組み込み吹出し口３０から吹き出された抗酸化作用を有する物質を含んだ空気は、室内ユニット本体１の吹出し口１１より吹き出された空気と混合し、室内に送出され効率的に室内に放出される。
【００３１】
図５、図６では空調機の室内ユニット本体１に内蔵する抗酸化物質放出ユニット１４の例を示したが、本体ユニット１の吹出口１１から吹出される空気調和された空気に混合される形であれば、例えば抗酸化物質放出ユニット１４を本体ユニット１の下部の外側に本体１または本体１が取り付けられている室内壁面に取り付けても良い。この場合はエアコンなどが既設のものであっても抗酸化物質放出ユニット１４を後から設置して室内環境の改善や人体への健康的な複合装置とすることが出来る。但し抗酸化物質放出ユニット１４の吸込口１７にフィルター３と同様なフィルターを設けることにより室内空気に含まれる塵埃を除去できる。室内ユニット本体１から吹出される暖房や冷房のように空気調和された空気であって、空気清浄フィルタ４などで清浄された空気と混合されることにより室内環境改善と人体への良い影響を組合せた重畳的な効果が得られる。
【００３２】
劣悪な環境として自動車の車内や混雑する電車などの車内がある。車のように排気ガスにさらされやすく狭い空間で長時間同じ姿勢を保ち、更に不断の緊張が必要である。また通勤電車などでは混雑した車内に炭酸ガスや塵埃が多く更に精神的な緊張が高まっている。このような車内に設けられた本発明の空調機は居住空間から汚れた空気を吸い込み居住空間に抗酸化作用を有する物質を含んだ空気を吹出すことにより吸込み側に設けたフィルターにより除塵するだけでなく排気ガスや煙草の煙、その他の化学物質などで汚れた車内の酸化物質を還元して清潔にすると共に呼吸により体内に抗酸化作用を有する物質を含んだ空気を取り込みまた皮膚からも得られ健康的で快適な車内環境を得ることが出来る。空調機は一般家庭に広く使用されておりこのような抗酸化物質放出ユニット１４を付加することにより、健康への改善効果が非常に大きいだけでなく、煙草の煙やパソコンなどによるストレスの発生しやすい事務所、公害ガスや排気ガスが存在するバス停や飛行場などの屋内、屋外の公共施設や工場、高齢者の多い病院、などに適用されれば更に良い効果が得られる。またこのような室内機や空気清浄器と抗酸化物質放出ユニット１４の組合せは人に対する良い影響だけでなく犬などのペット類や家畜などの動物にも当然良い健康が得られる効果がある。
【００３３】
図７、図８は本発明の別の空調機の室内ユニットの構造を説明する断面図と筒状抗酸化エレメント説明図であり、３１は筒状ヒーター、３２は筒状抗酸化エレメント、３３は筒状抗酸化エレメント放出口、３４は筒状抗酸化エレメント取り出しつまみである。基本的構成は図１、図５などと同様であるが、図７に示すように室内熱交換器５ｄと室内熱交換器５ｆと室内送風機６で囲まれる空間内に筒状ヒーター３１と筒状抗酸化エレメント３２が室内ユニットの横幅方向と同方向に備え付けられている点が異なる。
【００３４】
筒状抗酸化エレメント３２は図８に示すように中空円筒状の形状で、下面側は平板状であるが上面側は筒状抗酸化エレメント放出口３３であり網目状の加工が施してある。また、筒状抗酸化エレメント３２は筒状ヒーター３１の加熱による発火・熱変形などが起こらないよう金属などの材質により作られている。さらに筒状抗酸化エレメント３２には筒状抗酸化エレメント取り出しつまみ３４が取り付けられており、空調機の室内ユニット側面に設けられた取り出し口から挿入・脱着が容易に行えるような構造になっている。このつまみ３４は送風機の駆動用モーターや電気品箱の存在しない側面側に設けられており、またこの側に電源との接続線も設けられており、常時は蓋で閉鎖されている取り出し口から簡単にはずすことが出来る。筒状ヒーター３１と筒状抗酸化エレメント３２は図７のようにお互いに接触しており、筒状ヒーター３１が抗酸化エレメント３２を加熱し、これにより筒状抗酸化エレメントからの気化を促進したり、カプセルを部分的あるいは大きく変形または破壊して抗酸化作用を有する物質を徐々に放出したり瞬間的に大量に放出することが出来る。
【００３５】
本発明の空調機は、基本的な空気の流れは図１と同様であり、空調機が運転し、室内送風機６が作動すると、吸込み口２ａのとは別に、吸込み口２ｂから流入した室内空気は熱交換器５ｄから室内熱交換器５ｇの室内熱交換器を通過する。この下流には筒状ヒーター３１によって筒状抗酸化エレメント内に封入された抗酸化作用を有する物質が徐放されており、これ以降の下流では抗酸化作用を有する物質を含んだ空気となり、吸込み口２ａから流入した室内空気とともに混合され最終的に吹出し口１１より抗酸化作用を有する物質を含んだ空気が空調機より吹出される。
【００３６】
図９は本発明の別の空調機の例であって抗酸化作用を有する物質を徐放等放出する抗酸化物質放出ユニット３５の構造を示す斜視図であり、３６は平板状加熱ヒーター、３７は平板状抗酸化エレメントである。基本的構造は図３と同様であるが、図３の抗酸化エレメント２１の部分が、本例では平板状加熱ヒーター３６と平板状抗酸化エレメント３７で構成されている点が異なる。
【００３７】
本例の抗酸化物質放出ユニット３５においては、平板状加熱ヒーター３６と平板状抗酸化エレメント３７は接触しており、平板状加熱ヒーター３６が加熱することにより平板状抗酸化エレメント３７が加熱され、平板状抗酸化エレメント３７内に封入された抗酸化作用を有する物質の放出が促進される。平板状抗酸化エレメント３７は下面側は平板状であるが上面側は網目状の加工が施してあり、平板状加熱ヒーター３６の加熱による発火・熱変形などが起こらないよう金属などの材質により作られている。また、図９に図示されている方向に挿入・脱着が容易に行えるような取り付け構造及び本体周囲の蓋による開閉構造になっている。その他の構造、用途、空調機への取り付け方法、空気の流れ、作用などは図３と同様である。
【００３８】
図１０は本発明の別の空調機の例で抗酸化作用を有する物質を放出する抗酸化物質放出ユニット３８の構造を示す斜視図であり、３９は空気加熱用ヒーターである。基本的構造は図３などと同様であるが、図３の抗酸化エレメント２１の上流に、本例では空気加熱用ヒーター３９が追加されている点が異なる。
【００３９】
本例の抗酸化物質放出ユニット３８においては、抗酸化物質放出ユニット送風路２３内に備え付けられている抗酸化エレメント２１の上流に空気加熱用ヒーター３９が備え付けられ、吸引ファン１６によって送り込まれた吸引ファン吹出し空気２０が空気加熱用ヒーター３９によって加熱され、加熱空気４０となって送り出され、抗酸化作用を有する物質を封入した抗酸化エレメント２１に接触・通過し、抗酸化作用を有する物質が徐放され、抗酸化作用を有する物質を含んだ空気２２となる。
【００４０】
抗酸化エレメント２１の挿入・脱着機構、その他の構造、用途、空調機への取り付け方法、空気の流れ、作用、抗酸化エレメント２１の代わりに抗酸化ハニカムエレメント２７を使用しても良いこと、抗酸化ハニカムエレメント２７に塗布あるいは含有させるものは抗酸化作用を有する物質そのものでも良いし、たとえば徐放性を有する多孔質形状のマイクロカプセル内に抗酸化作用を有する物質を封入させた形態でも良いことなどは上述と同様である。
【００４１】
図１１は本発明の別の例で抗酸化作用を有する物質を徐放する抗酸化物質超音波放出装置４１の構造を示す概観図であり、４１は抗酸化物質超音波放出装置、４２は抗酸化物質供給カセットテープ媒体、４３は超音波照射ヘッド、４４はマイクロカプセル４６が塗布されたテープ４５を巻き取るテープ巻取り駆動部である。図１１において、抗酸化物質供給カセットテープ媒体４２内にテープ巻き取り駆動部４４に巻かれたテープ４５が収められている。テープ４５の表面には抗酸化作用を有する物質が封入された抗酸化物質封入マイクロカプセル４６が塗布されており、通常は抗酸化作用を有する物質が放出されないようになっている。マイクロカプセル４６は非常に微細な粒子状のものであり、テープ４４表面に一様に塗布されている。抗酸化物質供給カセットテープ媒体４２はプラスチック等で作られており、超音波照射ヘッド４３の照射面以外はほぼ密閉状態になっている。テープ巻き取り駆動部４４が巻き取り動作を行ない回転すると、テープ４５が順次巻き取られ、超音波照射ヘッド４３の照射範囲の部分で超音波が照射され、抗酸化物質封入マイクロカプセル４６が破壊されることにより、抗酸化物質封入マイクロカプセル４６内に封入されていた抗酸化作用を有する物質が空気中に放出される。また、マイクロカプセルは加熱により破壊することも可能であるので、超音波照射ヘッド４３の代わりに加熱ヘッドなるものにより抗酸化物質封入マイクロカプセル４６を熱破壊することで抗酸化作用を有する物質を空気中に放出させてもよい。また抗酸化物質封入マイクロカプセル４６は、徐放性を有する多孔質形状のマイクロカプセルとして非破壊時においても徐放性を確保したものでも良い。
【００４２】
図１２、図１３はこの抗酸化物質超音波放出装置４１を空調機の室内ユニット１に搭載した場合を示しており、図１２はその正面図、図１３はその断面図である。図１２において、ドレン受け皿を兼ねた空調機の吹出しノズル２８の右側に抗酸化物質超音波放出装置４１が格納されている。図１３において、抗酸化物質超音波放出装置４１の抗酸化物質供給テープ媒体４２は送風路外に格納され、テープを駆動するためのテープ駆動装置も同様に送風路外に格納されるのに対し、超音波照射ヘッド４３は風路内に置かれ、抗酸化物質供給テープ媒体４２の超音波照射ヘッド４３の照射面に当たる部分も送風路に露出するように備え付けられる。空調機が運転すると、送風路を通って最終的に吹出し口１１から空気が吹き出される。この状態で抗酸化物質超音波放出装置が作動すると、超音波照射ヘッド４３によって抗酸化物質封入マイクロカプセルが破壊され、抗酸化物質供給テープ媒体４２の送風路に露出する部分より抗酸化作用を有する物質が放出され、空調機本体によって送風路を通って送り出される空気と混合して吹出し口１１から抗酸化作用を有する物質を含む空気が室内に放出される。また、抗酸化物質超音波放出装置４１の前方には図１３にあるように空調機本体に開閉動作を行なうことが可能なテープ取り出し口４８が設けられており、抗酸化物質供給テープ媒体４２を容易に装着・脱着できるような構造になっている。このようなマイクロカプセルを塗布したテープを順次駆動して少しずつカプセルを破壊して抗酸化作用を有する物質の放出を促進することにより長時間の放出を可能にするとともにテープが終了し駆動しても動かないときは終了の表示を点灯するなどにより寿命を知らせテープ交換を促すことも出来る。
【００４３】
図１４は本発明の別の空調機の例で抗酸化作用を有する物質を徐放する抗酸化物質放出ユニット４９の構造を示す斜視図である。基本的構造は先のものと同様であるが、図３の抗酸化エレメント２１の部分が、図１１と同様の抗酸化物質超音波放出装置４１で構成されている点が異なる。
【００４４】
本例の抗酸化物質放出ユニット４９においては、抗酸化物質超音波放出装置４１は前と同様に抗酸化物質供給カセットテープ媒体４２内のテープ表面に塗布された抗酸化物質封入マイクロカプセルが超音波照射ヘッド４３で破壊されることにより抗酸化作用を有する物質を放出し、抗酸化物質超音波放出装置４１の上流からきた吸引ファン吹出し空気と混合され、抗酸化物質放出ユニット４９より抗酸化作用を有する物質を含む空気が吹出される。また、図１４に図示されている方向に抗酸化物質供給テープ媒体４２を容易に装着・脱着できるような構造になっている。
【００４５】
その他の構造、用途、空調機への取り付け方法、空気の流れ、作用などは前の説明と同様であり、また、超音波照射ヘッド４３の代わりに加熱ヘッドにより抗酸化物質封入マイクロカプセル４６を熱破壊することにより放出させてもよいこと、あるいは抗酸化物質封入マイクロカプセル４６は、徐放性を有する多孔質形状のマイクロカプセルとして非破壊時においても徐放性を確保したものでも良いことは同様である。
【００４６】
図１５は本発明の空調機の室内ユニットの別の例で５０は筒状振動発生装置、５１は筒状抗酸化エレメントである。基本的構成は前のものと同様であるが、図１で室内送風機６が抗酸化作用を有する物質を含まない通常のものであることと、図１５に示すように室内熱交換器５ｄと室内熱交換器５ｆと室内送風機６で囲まれる空間内に振動を発生させる振動子を組み合わせて構成される筒上振動発生装置５０と筒状抗酸化エレメント５１が室内ユニットの横幅方向と同方向に備え付けられている点が異なる。
【００４７】
筒状抗酸化エレメント５１は前のもの同様で、加熱されることはないので、その素材が金属などに限定されずに形成される点が異なるだけで、図８に示されているものと同様な形状であり、空調機の室内ユニットへの挿入・脱着を容易に行えるようにする構造も同様である。筒上振動発生装置５０と筒状抗酸化エレメント５１は図１５のようにお互いに接触しており、筒上振動発生装置５０が抗酸化エレメント５１を振動させることによって抗酸化エレメント内部に封入された抗酸化作用を有する物質の放出が促進されるようになっている。
【００４８】
本例の空調機の用途、空気の流れ、作用などは同様である。また筒状抗酸化エレメント５１内に封入させるものは抗酸化作用を有する物質そのものでも良いし、たとえば徐放性を有する多孔質形状のマイクロカプセル内に抗酸化作用を有する物質を封入させた形態でも良い。
【００４９】
図１６は本発明の空調機の別の例で抗酸化作用を有する物質を放出する抗酸化物質徐放ユニット５２の構造を示す斜視図であり、５３は平板状振動発生装置、５４は平板状抗酸化エレメントである。基本的構造は前のものと同様であるが、図９の平板状加熱ヒーター３６の部分が、図１６では平板上振動発生装置５３になっている点と、形態は同一ながらも加熱されることはないので、平板状抗酸化エレメント３７の素材が金属などに限定されずに形成される点が異なる。
【００５０】
本例の抗酸化物質放出ユニット５２においては、平板上振動発生装置５３と平板状抗酸化エレメント５４は接触しており、平板上振動発生装置５３が振動することによって抗酸化エレメント５４内部に封入された抗酸化作用を有する物質の放出が促進されるようになっている。
【００５１】
本例のその他の構造、用途、空調機への取り付け方法、空気の流れ、作用などはまえのものと同様である。また、図１６に図示されているように挿入・脱着が容易に行える方向の取り付け構造であることもまた同様である。また、平板状抗酸化エレメント５４内に封入させるものは抗酸化作用を有する物質そのものでも良いし、たとえば徐放性を有する多孔質形状のマイクロカプセル内に抗酸化作用を有する物質を封入させた形態としても良い。
【００５２】
図１７、図１８は本発明の別の空調機を示しており、図１７はその正面図、図１８はその断面図を示している。図において５５は加湿ユニット、５６はデシカントロータ、５７は水蒸気搬送路、５８は凝縮器、５９は水受け皿、６０は水位センサー、６１は超音波加湿器である。室内ユニット本体１の側面側は加湿ユニット５５となっており、室外側に設置されたデシカントロータ５６により屋外の水分を吸着し、水蒸気搬送路５７を通して室内ユニット本体１内部に水蒸気を搬送し、この水蒸気を凝縮器５８により水に変換する。凝縮器５８により水蒸気から変換された水は水受け皿５９に貯えられていく。水受け皿５９には水位センサ６０が取り付けられており、水受け皿５９から水が溢れないように、水位センサ６０が水位上限を検知すると加湿ユニット５５が自動的に停止するようになっている。水受け皿５９には抗酸化作用を有する物質が入れられるようになっており、超音波加湿器６１が備え付けられている。水受け皿５９に水が溜まると抗酸化作用を有する物質が水に融解し、超音波加湿器により、抗酸化作用を有する物質を含んだ水蒸気が室内ユニット本体１内の送風路に加湿ユニット５５から導かれ徐放され、吹出し口１１より抗酸化作用を有する物質を含んだ空気が室内へと放出される。また、デシカントロータ５６は室内ユニット本体１内に収めるようにしてもよい。
【００５３】
図１９は本発明の別の空調機で抗酸化作用を有する物質を徐放する抗酸化物質放出ユニット６２の構造を示す斜視図であり、基本的構造は図１０と同様であるが、図１０の抗酸化エレメント２１の上流に、空気加熱用ヒーター３９とともに、空気中の水分を吸着する吸湿エレメント６３が追加されている点が異なる。
【００５４】
本例の抗酸化物質放出ユニット６２においては、抗酸化物質放出ユニット送風路２３内に備え付けられている抗酸化エレメント２１の上流に空気加熱用ヒーター３９と、吸湿エレメント６３が備え付けられ、空気用加熱ヒーター３９が通電されていないとき、吸引ファン１６によって送り込まれた吸引ファン吹出し空気２０は空気加熱用ヒーター３９を加熱されることなしに通過し、そのまま吸湿エレメント６３に接触する。吸湿エレメント６３はゼオライトなどの空気中の水分を吸着する成分で作られているので、吸引ファン吹出し空気２０の中に含まれる水分はこの吸湿エレメント６３に吸着される。吸着されたあとの空気は乾燥空気となりそのまま下流へと流れていく。
【００５５】
空気用加熱ヒーター３９が通電されていると、吸引ファン１６によって送り込まれた吸引ファン吹出し空気２０は空気加熱用ヒーター３９によって加熱され、加熱空気４０としてそのまま吸湿エレメント６３に接触する。吸湿エレメント６３に水分が吸着されているとき、吸湿エレメント６３は加熱空気を送風されることで吸着されている水分を脱着する働きがあるため、空気用加熱ヒーター３９が通電されているときの吸湿エレメント６３の下流は加熱された高湿度の空気が流れていき、抗酸化エレメント２１に接触・通過し、抗酸化作用を有する物質が徐放され、抗酸化作用を有する物質を含んだ空気２２となり放出される。
【００５６】
図２０は本発明の空調機の抗酸化作用を有する物質を徐放する抗酸化物質放出ユニット６２の動作内容を示すタイミングチャートである。横軸には経過時間を、縦軸には空気用加熱ヒーター３９の通電状況、吸湿エレメント６３下流の空気湿度状況、抗酸化物質徐放レベルをそれぞれ示してある。時刻（１）までの区間は空気用加熱ヒーター３９は通電されておらず、吸湿エレメント６３に空気中の水分が吸着されるため、その下流の空気は低湿度となり、抗酸化物質の徐放レベルも低い。時刻（１）から（２）の区間では空気用加熱ヒーター３９が通電されており、その下流にある吸湿エレメント６３に吸着されていた水分が脱着され、吸湿エレメント６３下流の空気は高湿度となり、さらにその下流にある抗酸化エレメント２１に接触・通過し、抗酸化作用を有する物質の徐放性を促進するため、抗酸化物質徐放レベルも高くなる。時刻（２）から（３）の区間では、再び空気用加熱ヒーター３９の通電が切られ、吸湿エレメント６３に再び水分を吸着させるとともに、下流へと流れる乾燥空気によって抗酸化物質徐放ユニット送風路２３内、およびその内部の構成部品が結露してしまった場合に乾燥する働きもする。以下同様にこの動作を繰り返す。このような動作は先に述べた抗酸化エレメントに加熱や振動、水分などの動作を加えることにより、すなわち抗酸化物質放出促進手段により抗酸化作用を有する物質を保有する保有体へ物理的化学的動作を加えて放出を促進させることは同じ現象である。言いかえると抗酸化物質放出促進手段による動作を加えない停止状態では出来るだけ放出が押さえられるように保有体のカプセルや樹脂体を設定しておけば保有体が放出する寿命を大幅に伸ばすことが出来抗酸化エレメントの取替え頻度を少なくすることが出来る。更に加熱や振動あるいはカプセル破壊の範囲などを調整し放出量を調整でき環境の程度や人数、要求レベル等に応じて放出量を変えることが出来る。
【００５７】
図１８ではタンクである水受け皿５９に凝縮器５８からの水をためる構造を説明したが水の供給可能なタンクを設けても良いことは当然である。また図１９にて抗酸化物質放出ユニット６２の構造を説明したが、このユニット構造を冷蔵庫の野菜室等に配置することにより野菜などの生物や食品から発生する水分によって抗酸化物質を庫室に放出することが出来食品や野菜の保存に適した装置とすることが出来る。抗酸化エレメント２１の挿入・脱着機構、その他の構造、用途、空調機への取り付け方法、空気の流れ、作用、抗酸化エレメント２１の代わりに抗酸化ハニカムエレメント２７を使用しても良いこと、抗酸化ハニカムエレメント２７に付着または塗布または含有させるものは抗酸化作用を有する物質そのものでも良いし、たとえば放出性を有する多孔質形状のマイクロカプセル内に抗酸化作用を有する物質を封入させた形態でも良いことなどは前の説明と同様である。
【００５８】
本発明の別の例の空調機では、抗酸化作用を有する物質を放出させるそれぞれの手段を、空調機の室外ユニット側に搭載しても良い。この場合、空調機の室外ユニットには抗酸化作用を有する物質を混合した空気を室内ユニットへと搬送するフレキシブルチューブによる空気搬送装置が室外から室内へ接続されており、この空気搬送装置によって室外ユニットで発生された抗酸化作用を有する物質を含む空気を室内ユニットへと搬送し、室内ユニットの吹出口１１から室内へ抗酸化作用を有する物質を含む空気を放出するものである。このような抗酸化作用を有する物質を混合した空気を室内ユニットへと搬送するフレキシブルチューブあるいは配管やダクトなどによる空気搬送装置を利用すれば個々の空調機に図１９で説明した抗酸化物質放出ユニット６２のようなユニットを設けずに遠方に設けこのユニットから多数の空調機に集中制御により搬送でき効率的な装置の運営が可能である。特に図１８では加湿ユニットを室外機に設けた例を説明したが室外機に加湿ユニットを設けることにより簡単な構造で抗酸化作用を有する物質を含む加湿された空気を室内ユニットへと搬送することが出来る。もちろん室外機では無く独立した加湿器から室内に抗酸化作用を有する物質を含む加湿された空気を放出しても良いし、野菜などを貯蔵する倉庫全体にこのような加湿器を配置し野菜などが大量に入荷したときに徐放と言うよりは瞬間的に大量に抗酸化作用を有する物質を含む加湿された空気を放出すると腐敗防止対策の効果が大きい。
【００５９】
上記説明では抗酸化物質放出手段による動作を加えない停止状態では出来るだけ放出が押さえられるように保有体のカプセルや樹脂体を設定し必要なときに必要な量の放出を促進するため、加熱や振動あるいはカプセル破壊の範囲などを調整し放出量を調整し環境の程度や人数、要求レベル等に応じて放出量を変えることが出来る装置であるが、この調整を空気調和を行う空調機と連動させることで環境対策及び健康への効果を一層あげることが出来る。冷房時では室内などの温度が非常に高いときは呼吸作用が早くなり体も暑く酸化ストレスが大で体の各機能の低下を招く。したがって冷房を行う空調機の設定温度より室内温度が高い場合には抗酸化物質放出促進手段を動作させる。このとき体の温度に近いような場合は放出量を大きくするように加熱や振動を大きく、あるいはカプセルの破壊を増やせば良く、快適な状態である設定値に近づくときは放出促進の動作を停止すればよい。このように冷房と抗酸化物質放出促進手段を連動させて快適さと共に、目に見え無かったり体に知覚されない健康状態を体の内と外から良好に保つ装置が得られる。
【００６０】
この制御は空調機の温度センサーとマイコンを使用し検出された温度、例えば徐放量大のためのあらかじめ設定された例えば３０゜Ｃ以上、徐放量小である２５゜Ｃ以上とそれ以下の停止範囲などを決めることにより簡単な制御で行える。この設定温度はストレスの発生の大小に応じた環境状況や体内のＳＯＤ酵素と活性酸素のバランスの程度に応じてリモコンで換えても良い。このため温度センサーではなくガスセンサーや塵埃センサーにより煙草の煙や化学物質の存在のレベルに応じて徐放量を設定しても良いし温度と他のセンサーの組合せでも良い。これによって体の健康だけでなく室内などの環境を清潔に保つことも出来る。
【００６１】
本発明においては、熱交換器、圧縮機、四方弁、膨張弁、送風機、風向制御板を有する空気調和機において、室内に抗酸化作用を有する物質を徐放する抗酸化物質徐放手段を有する。この抗酸化物質徐放手段は、抗酸化作用を有する物質を塗布した室内送風機、あるいは抗酸化作用を有する物質を含有させた室内送風機を有し、室内送風機が作動することにより、室内送風機に塗布あるいは含有された抗酸化物質が徐放され、室内に抗酸化作用を有する物質を徐放させることで実現する。
【００６２】
この発明においては、該抗酸化物質徐放手段は、抗酸化作用を有する物質を付着させた室内熱交換器を有し、空気調和機が運転することにより、室内に抗酸化作用を有する物質を徐放させても良いし、抗酸化作用を有する物質を塗布した空気清浄フィルター、あるいは抗酸化作用を有する物質を含有させた空気清浄フィルターを有し、空気調和機が運転することにより、室内に抗酸化作用を有する物質を徐放させる。
【００６３】
また抗酸化物質徐放手段は、空気調和機の室内送風路内、あるいは風向制御板、あるいは空気調和機の室内機筐体に抗酸化作用を有する物質を塗布、もしくは抗酸化作用を有する物質を含有させた素材により室内送風路、あるいは風向制御板、あるいは空気調和機の室内機筐体を形成し、空気調和機が運転することにより、室内に抗酸化作用を有する物質を徐放させたり、また抗酸化物質徐放手段は、抗酸化作用を有する物質、あるいはその加工形態に送風機等により強制送風することで実現する。
【００６４】
抗酸化物質徐放手段は、加熱手段を有し、抗酸化作用を有する物質、あるいはその加工形態を加熱手段により加熱することによって抗酸化成分を徐放させることで実現する。あるいは抗酸化物質徐放手段は、加熱手段と加熱用送風機を有し、抗酸化作用を有する物質、あるいはその加工形態を加熱手段により加熱することによって抗酸化成分を徐放させ、加熱用送風機により室内へ強制送風することによって室内に徐放された抗酸化成分を含む空気を供給する。あるいは加熱手段と加熱用送風機を有し、加熱手段によって加熱された空気を加熱用送風機により抗酸化作用を有する物質、あるいはその加工形態へ強制送風することによって抗酸化成分を徐放させることで実現する。
【００６５】
抗酸化物質徐放手段は、超音波発振手段を有し、抗酸化作用を有する物質、あるいはその加工形態に超音波発振手段により発生した超音波を投射することにより抗酸化成分を徐放させる。あるいは、超音波発振手段と超音波発振用送風機を有し、抗酸化作用を有する物質、あるいはその加工形態に超音波発振手段により発生した超音波を投射することにより抗酸化成分を徐放させ超音波発振用送風機により室内へ強制送風することによって室内に徐放された抗酸化成分を含む空気を供給することで実現する。
【００６６】
抗酸化物質徐放手段は、振動発生手段を有し、抗酸化作用を有する物質、あるいはその加工形態を振動発生手段によって振動させることで抗酸化成分を徐放させる。あるいは振動発生手段と振動用送風機を有し、抗酸化作用を有する物質、あるいはその加工形態を振動発生手段によって振動させることで抗酸化成分を徐放させ振動用送風機により室内へ強制送風することによって室内に徐放された抗酸化成分を含む空気を供給することで実現することを特徴とする。
【００６７】
抗酸化物質徐放手段は、加湿手段を有し、加湿手段により生成された水蒸気に抗酸化作用を有する物質を含有させた状態にする、あるいは加湿源となる水分に抗酸化作用を有する物質を含有させ、この水分を用いて加湿することで実現する。抗酸化物質徐放手段は、加湿手段と加湿用送風機を有し、加湿手段により生成された水蒸気に抗酸化作用を有する物質を含有させた状態にし、加湿用送風機により室内へ物質を含ん抗酸化作用を有するだ水蒸気を徐放する、あるいは加湿源となる水分に抗酸化作用を有する物質を含有させ、この水分により加湿することで抗酸化作用を有する水蒸気を生成し、加湿用送風機により室内へ抗酸化作用を有する物質を含んだ水蒸気を徐放することで実現する。加湿器のようにタンクへ給水を行う構造のものではタンク内に抗酸化作用を有する物質を含む保有体を設けるだけの簡単な構造で効果を得ることが出来る。
【００６８】
空調機の室外機から室内機へと空気を搬送する空気搬送手段と、該抗酸化物質徐放手段を室外機に有し、該抗酸化物質徐放手段により徐放された抗酸化作用を有する空気を、空気搬送手段により空調機の室内機へと搬送し、室内に抗酸化作用を有する物質を徐放させても良い。
【００６９】
以上のように本発明によれば、近年一般的に普及している空調機に実装することで日常的に抗酸化作用を有する物質を含む健康的な空気を供給することができる。すなわち、人間の摂取するものとして食物、水などよりも多い空気中に抗酸化作用を有する物質を含有させ、これを居住空間に徐放することで呼吸によって効率的に抗酸化物質を体内吸収するとともに、皮膚表面の抗酸化作用という体外的な効果も同時に発揮される。また、汚染物質などに汚染された室内の空気環境を抗酸化作用により浄化する効果もあり有害物質環境から身体を守る快適で健康的な生活環境を提供するものである。
【００７０】
また、送風ファン、熱交換器、フィルター、送風路、室内ユニット筐体本体などに抗酸化作用を有する物質を塗布、あるいはこれらのものを抗酸化作用を有する物質を含有させた素材で形成することにより、安価に外観を損なうことなく快適で健康的な生活環境を提供することができる効果がある。
【００７１】
また、加熱、高湿度空気の活用、あるいは、振動、超音波という手段を活用することで、融点、沸点が高い抗酸化物質、あるいは、揮発性、水溶性、脂溶性といった種々の抗酸化物質の性質によらずに、その抗酸化効果を安定して効率的に供給することができ、快適で健康的な生活環境を提供することができる効果がある。
【００７２】
また、抗酸化作用を有する物質を徐放させる手段を室外ユニット等遠方に備え付けるようにすることで、室内ユニットの外観を損なうことなく快適で健康的な生活環境を提供することができる効果がある。更に集中的に設け、大掛かりな装置にも適用できるため物流会社のヤードの環境対策や、農作物の腐敗や家畜の死亡減少対策など別の用途にも使用できる。
【００７３】
実施の形態２．
図２１、図２２は本発明の実施の形態２に係る空調機の室内ユニットを示す要部拡大断面図であり、抗酸化物質の保有体である酸化物質放出装置６４を空気調和機の室内機の送風機６の吹き出し口１１の上面１１ａに取り付ける。そして、吹き出し上面１１ａには複数の孔１１ｂを設けることで、前記抗酸化物質放出装置６４から放出された抗酸化物質を含んだ抗酸化空気６５が孔１１ｂを通過して、送風機６から送り出された送風路内空気７と混合し、室内に拡散する。このように、送風機５ａの吹き出し口１１から抗酸化物質を放出することで、効果的に室内へ抗酸化物質を拡散することができる。たとえば、室内機の空気の吸い込み口に放出した場合は、抗酸化物質が熱交換器５や送風機６に付着してしまい部屋の空気への拡散の妨げになる。
【００７４】
図２２の示す本発明に係る別の例では室内ユニットの基本的構成は図２１と同様であるが、送風機の吹き出し口上面１１ａに孔１１ｂを設ける代わりに抗酸化物質透過膜６４aを設置している。冷房運転を行った場合、吹き出し口１１を通過する空気の温度が低くなるため、抗酸化物質放出装置６４から孔１１ｂを通して流れ込んだ空気が水分を含んでいると孔１１ｂの周辺に結露が発生する可能性がある。このため、孔１１ｂの代わりに抗酸化物質透過膜６４ａを設置することで、抗酸化物質放出装置６４側から空気が流れ込まないようにして結露を防止する。孔１１ｂを通しての抗酸化物質の透過率と同等程度の透過率を持った抗酸化物質透過膜６４ａを選定する。
【００７５】
図２３に示す本発明に係る別の例では、送風機６の吹き出し口上面１１ａに抗酸化物質透過膜６４ａを設置する場合、膜は強度が弱いため、図に示すように、孔１１ｂの上に透過抗酸化膜１１ｃを設置することで、吹き出し口上面１１ａの強度を確保しつつ、透過抗酸化物質６５を透過して孔１１ｂ周辺での結露を防止する。
【００７６】
図２４に示す本発明に係る別の例は抗酸化物質放出装置の正面図である。液体、ゲル状またはマイクロカプセルに含浸された抗酸化物質を透過性の小さい抗酸化物質透過膜６４ａで容器６４ｂ内に封止する。通常は前記抗酸化物質透過膜６４ａの透過率を低く抑えることで、室温では抗酸化物質透過膜６４ａを透過して空気中へ揮発する抗酸化物質の量を少なく抑えることができる。これに対して、抗酸化物質を空気中に放出したい場合は、容器６４ｂの外側に配置した加熱ヒーター６４ｃに通電して容器６４ｂ内の抗酸化物質を加熱することにより、抗酸化物質の蒸発圧力を高めて抗酸化物質透過膜６４ａを透過しやすくすることで、空気中への抗酸化物質の放出量を増加させる。
【００７７】
このように、加熱ヒーター６４ｃでの加熱量を調整することにより、抗酸化物質の空気中への放出量を調整することができるため、必要に応じて抗酸化物質を放出することができ、抗酸化物質の消費量を抑制することができる。また、容器６４ｂは加熱ヒーター６４ｃから取り外すことができる構造とすることにより、容器６４ｂ内の抗酸化物質が放出され尽くした場合は、抗酸化物質が詰まった新品の容器６４ｂに交換することができる。容器６４ｂを透明な樹脂で構成することにより、抗酸化物質が液体、またはゲル状の場合、残量を目視できるため、交換する必要があるかを判別することができる。
【００７８】
本発明の抗酸化物質放出装置を前記図２１に示すように空気調和機の送風機の吹き出し口取り付ける場合は、抗酸化物質透過膜６４ａを通過した抗酸化物質は送風機６の風で空気中に拡散される。
【００７９】
また、前記抗酸化物質放出装置を送風機６を持たない装置に取り付けた場合は、抗酸化物質透過膜６４ａを透過した抗酸化物質は自然対流により空気中に拡散する。
【００８０】
図２５に示す本発明の係る別の例は抗酸化物質放出装置の正面図である。液体の抗酸化物質は液体浸透棒６６に浸透している。抗酸化物質を空気中に放出させる場合は液体浸透棒６６の先端周囲に設置した加熱ヒーター６４ｃに通電し、浸液体透棒６６の先端を加熱することにより、棒に浸透している抗酸化物質の蒸発圧力を高め、空気中に揮発しやすくする。このように、抗酸化物質放出部を容器６４ｂの上方に配置し、加熱ヒーター６４ｃで加熱することにより、加熱ヒーターの熱による自然対流で、抗酸化物質を空気中に拡散する。
【００８１】
図２６に示す本発明の係る別の例は抗酸化物質放出装置の断面図である。容器６４ｂの底の一部が抗酸化物質透過膜６４ａになっており、容器６４ｂ内には液体またはゲル状の抗酸化物質を封入する。抗酸化物質を放出する場合は、抗酸化物質透過膜６４ａの上方に設置した超音波素子６４ｄより超音波による微小振動６４ｄ１を与えることにより、抗酸化物質が抗酸化物質透過膜６４ａを透過しやすくなり、抗酸化物質は空気中に放出される。
【００８２】
前記図２４に示す例のように、加熱ヒーター６４ｃで放出量をコントロールする場合は加熱ヒーター６４ｃの温度が上昇するまでの時間が長いために、所定の放出量になるまでに長時間かかるが、超音波素子６４ｄを使用した場合は通電してすぐに抗酸化物質の放出を行うことができるため、短時間で所要の放出量を得ることができる。容器６４ｂはカートリッジになっており、容器６４ｂ内の抗酸化物質が無くなったら交換する。
【００８３】
図２６に示す抗酸化物質放出装置を前記図２１に示すように空気調和機の送風機の吹き出し口取り付ける場合は、抗酸化物質透過膜６４ａを透過した抗酸化物質は送風機６の風で空気中に拡散される。
【００８４】
また、本抗酸化物質放出装置を送風機６を持たない装置に取り付けた場合は、抗酸化物質透過膜６４ａを透過した抗酸化物質は自然対流により空気中に拡散する。
【００８５】
図２７に示す本発明に係る別の例は抗酸化物質の放出の原理は前記図２６に示す例の説明と同様であるが、抗酸化物質を入れる容器６４ｂと放出部６７を分離できる構成となっている。このため、放出部６７と離れた位置に容器６４ｂを設置し、容器６４ｂから放出部６７までを抗酸化物質の輸送管６７ａで接続する。これにより、放出部６７と容器６４ｂ設置部を離れた位置に設置することができ、空気調和機の室内機に搭載する場合に、搭載が容易になる。
【００８６】
図２８に示す本発明に係る別の例は抗酸化物質放出装置の斜視図であり、ゲル状やマイクロカプセルなどの粉末に含浸された抗酸化物質を入れた袋６８を複数の放出孔６９があいている容器６４ｂに入れておく。抗酸化物質の空気中への放出量の調整はシャッター７０の開閉で行う。放出量を多くする時はシャッター７０を開いて、開口する放出孔６９の数を多くし、少なくする時はシャッター７０を閉じて開口する放出孔６９の数を少なくする。シャッター７０の開閉はステッピングモーター（図示していない）を使用して行う。容器６４ｂ内の抗酸化物質が放出されてなくなった場合は、マイクロカプセルを入れる袋６８ごと交換することで、容易に新たな抗酸化物質を容器６４ｂ内に入れることができる。
【００８７】
図２９、図３０に示す本発明に係る別の例はヒーター加熱式加湿器付抗酸化物質放出装置の断面図および要部斜視図であり、ヒーター加熱式加湿器７１の水蒸気の吹き出し口に抗酸化物質を含浸または練り込んだハニカム構造の抗酸化物質含有素子７１ａを設置する。カテキンやビタミンＣなどのような水溶性の抗酸化物質は揮発性が非常に低いため、単に空気中に放置しても空気中に放出されない。そこで、加熱ヒーター６４ｃと加熱蒸気により、抗酸化物質含有素子７１ａに含浸した抗酸化物質を放出する。
【００８８】
加熱ヒーター６４ｃにより蒸発した水蒸気７１ｂはその一部が抗酸化物質含有素子７１ａの表面で微小な水滴となる。この水滴に抗酸化物質含有素子中の水溶性抗酸化物質が溶け込む。そして、抗酸化物質が溶け込んだ水滴は、水蒸気７１ｂの流れの勢いで、ハニカムフィルターから剥離して、水溶性抗酸化物質を含んだ微小な水滴７１ｃとなって加湿器から放出され空気中に拡散する。これにより、空気中への放出が困難な水溶性抗酸化物質を空気中に放出することができる。
【００８９】
図３１、図３２に示す本発明に係る別の例は抗酸化物質放出装置を装着した空気調和機を示す正面図および要部断面図であり、図３１に示すように、空気調和機の室内機１の正面パネル１ａの一部に透明な窓１ｂを設け、この窓から抗酸化物質を透過した光が正面から見えるように容器６４ｂを設けることで、視認性を高くすることができる。
【００９０】
さらに、図３２に示すように容器６４ｂの幅を変化させると、透過した光の色の濃さが変わるため、グラディエーション効果が得られる。青や緑、黄色などに着色された液体またはゲル状の抗酸化物質を入れた透明な容器６４ｂの側面から発光ダイオード等の光源７２から光を当て、光源７２の反対側からみると、抗酸化物質が残っている高さに応じて高さが変わるイルミネーションになる。また、抗酸化物質を放出している時に、光源７２を発光させることにより、放出を知らせるためのランプとして機能し、使用者が的確に抗酸化物質を放出を確認することができる。
【００９１】
図３３に示す本発明に係る別の例は抗酸化物質放出装置の斜視図であり、抗酸化物質放出の原理は前記図２４に示す説明と同様である。リング状の加熱ヒーター６４ｃを内蔵した台座６４ｃ１に抗酸化物質を封止した容器６４ｂを挿し込む構造を持ち、容器６４ｂから放出された抗酸化物質は台座６４ｃ１下部の開口部６４ｃ２から空気中に拡散される。
【００９２】
この発明に係る空気調和機は、空気を吸込み吹出す送風機と、送風機を内蔵し送風機からの空気を外部に吹出す吹出口を有する本体と、送風機または本体に設けられ抗酸化作用を有する物質を保有する保有体と、を備え、送風機の送風により吹出口から吹出す空気に抗酸化作用を有する物質を放出させるので、簡単な構造で環境と健康の改善に有効な装置を得ることが出来る。
【００９３】
また、この発明に係る空気調和機は、熱交換器、送風機を有し空気調和された空気を室内に吹出す空気調和機の室内機と、室内機に内臓もしくは室内機近傍に設けられ抗酸化作用を有する物質を保有する保有体と、を備え、送風機が送風することにより、抗酸化作用を有する物質を室内機から吹出す空気に放出させるので、一般家庭に普及しているエアコンを効果的に利用できる。
【００９４】
また、この発明に係る空気調和機は、保有体から抗酸化物質を放出させるように保有体の表面へ強制送風を行うので、抗酸化物質を放出させたり停止させたりを簡単に行える。
【００９５】
また、この発明に係る空気調和機の、保有体は、送風機に抗酸化作用を有する物質を塗布または含有させたので、構造が簡単になる。
【００９６】
また、この発明に係る空気調和機の、保有体は、送風される空気と熱交換を行う熱交換器に抗酸化作用を有する物質を付着または塗布または含有させたので、製造が容易な装置が得られる。
【００９７】
また、この発明に係る空気調和機の、保有体は、抗酸化作用を有する物質を塗布あるいは含有させた空気清浄フィルターであるので、安価に有効な装置が得られる。
【００９８】
また、この発明に係る空気調和機の、保有体は、空気調和機の室内送風路内、あるいは風向制御板、あるいは空気調和機の室内機筐体の通風される表面であるので、広い面積が利用でき有効な装置が得られる。
【００９９】
また、この発明に係る空気調和機は、保有体を加熱することによって抗酸化作用を有する物質を放出させる加熱手段と、を備えたので、確実に放出を行える。
【０１００】
また、この発明に係る空気調和機は、保有体に超音波を加えることによって抗酸化作用を有する物質を放出させる超音波発生手段と、を備えたので、徐放量の制御が簡単に行える。
【０１０１】
また、この発明に係る空気調和機は、保有体に振動を加えることによって抗酸化作用を有する物質を放出させる振動発生手段と、を備えたので簡単な構造で確実な放出が行える。
【０１０２】
また、この発明に係る空気調和機は、保有体を水中に設置可能としてこの水により空気を加湿する際に、水に溶融させた抗酸化作用を有する物質を放出させるので、抗酸化物質を簡単に利用できる。
【０１０３】
また、この発明に係る空気調和機は、送風された空気を加湿する加湿手段と、を備え、加湿手段で加湿された空気を保有体を通過させて抗酸化作用を有する物質を徐放させるので、実用的で有用な装置が得られる。
【０１０４】
また、この発明に係る空気調和機は、送風機により送風された空気を加湿する加湿手段と、を備え、加湿手段により生成された水蒸気に抗酸化作用を有する物質を含有させた状態にする、または加湿手段の加湿源となる水分に抗酸化作用を有する物質を含有させた状態にする、庫とにより水蒸気または水分を用いて加湿した空気を送風するので、有効な装置が簡単に得られる。
【０１０５】
また、この発明に係る空気調和機は、空気を吸込み吹出すユニット送風機と、ユニット送風機を内蔵しユニット送風機が吸込む吸込口及びこの吸込んだ空気を外部に吹出す吹出口を有するユニット本体と、ユニット本体の吸込口から吹出口の間の通風回路に設けられ、抗酸化作用を有する物質を保有する保有体と、を備え、保有体はユニット本体に脱着自在に設けられたので、取り扱いの容易な装置が得られる。
【０１０６】
また、この発明に係る空気調和機は、ユニット本体に設けられ、保有体に動作して、抗酸化作用を有する物質の放出を促進する抗酸化物質放出促進手段と、を備えたので、環境などの状態に応じた徐放量の放出が行える。
【０１０７】
また、この発明に係る空気調和機は、熱交換器、送風機を有し空気調和された空気を室内に吹出す空気調和機本体と、を備え、ユニット本体を空気調和機本体に内臓もしくは空気調和機本体近傍に設け、抗酸化作用を有する物質がユニット本体の吹出口から空気調和機本体から吹出す空気に放出されるので、簡単な構造で既設空調装置への適用や別の空調装置との組合せなど適用範囲の広い装置が得られる。
【０１０８】
また、この発明に係る空気調和機は、ユニット本体に設けられ空気を加湿する加湿手段と、を備え、加湿手段により生成された水蒸気に抗酸化作用を有する物質を含有させた状態にする、または加湿源となる水分に抗酸化作用を有する物質を含有させた状態にする、ことにより水蒸気または水分を用いて加湿するので、簡単に健康的な装置が得られる。
【０１０９】
また、この発明に係る空気調和機は、熱交換器、送風機を有し空気調和された空気を室内に吹出す空気調和機本体と、ユニット本体の吹出口から空気調和機本体へ空気を搬送可能な通風回路と、を備え、抗酸化作用を有する物質がユニット本体から遠方に配置した空気調和機本体の吹出す空気に放出されるので、大規模な施設のような広い範囲でも効果的な装置が得られる。
【０１１０】
また、この発明に係る空気調和機は、ユニット本体が空調機の室外機もしくはこの室外機に内蔵されたユニットであるので、室内機の構造を変えずに機能の追加が出来る。
【０１１１】
また、この発明に係る空気調和機の運転方法は、空気を吸込み吹出す送風機を本体に設け、送風機が前記本体の吸込口から吸込んだ空気を吹出口から外部に吹出すステップと、本体に設けられた抗酸化作用を有する物質を保有する保有体に送風機の送風を流すステップと、保有体に送風が行われているときに、抗酸化作用を有する物質の放出を促進する抗酸化物質放出促進手段の動作を保有体に加えるステップと、を備え、本体から吹出す空気に抗酸化作用を有する物質を放出するので、確実な放出が可能な運転方法が得られる。
【０１１２】
また、この発明に係る空気調和機の運転方法は、空気を吸込み吹出す送風機を本体に設け、送風機が本体の吸込口から吸込んだ空気を吹出口から外部に吹出すステップと、本体に設けられた抗酸化作用を有する物質を保有する保有体に送風機の送風を流すステップと、本体内に熱交換器を設け吸込口から吸込んだ空気を熱交換器にて空気調和するステップと、空気の温度に応じて抗酸化作用を有する物質の放出を促進する抗酸化物質放出促進手段の動作を保有体に加えるステップと、を備えたので、効果的な運転方法が得られる。
【０１１３】
また、この発明に係る空気調和機の運転方法は、空気を吸込み吹出す送風機を本体に設け、送風機が前記本体の吸込口から吸込んだ空気を吹出口から外部に吹出すステップと、本体に設けられた抗酸化作用を有する物質を保有する保有体に送風機の送風を流すステップと、吸込口から吸込む空気中に不具合物質もしくは不具合ガスが存在するかどうかをセンサーにて検出するステップと、前記センサーの検出に応じて抗酸化作用を有する物質の放出を促進する抗酸化物質放出促進手段の動作を保有体に加えるステップと、を備えたので、環境改善に効果のある運転方法が得られる。
【図面の簡単な説明】
【０１１４】
【図１】本発明の実施の形態１に係わる空調機の室内ユニットを示す断面図である。
【図２】本発明の実施の形態１に係わる空調機の抗酸化シートを室内熱交換機フィン表面に添付した構造説明図である。
【図３】本発明の実施の形態１に係わる空調機の抗酸化物質放出ユニットを示す斜視図である。
【図４】本発明の実施の形態１に係わる空調機の抗酸化物質放出ユニットの抗酸化ハニカムエレメント構造図である。
【図５】本発明の実施の形態１に係わる空調機の、抗酸化物質放出ユニットを空調機に実装した場合の空調機の室内ユニットを示す正面図である。
【図６】本発明の実施の形態１に係わる空調機の抗酸化物質放出ユニットを空調機に実装した場合の空調機の室内ユニットを示す断面図である。
【図７】本発明の実施の形態１に係わる空調機の室内ユニットを示す断面図である。
【図８】本発明の実施の形態１に係わる空調機の筒状抗酸化エレメントの概観を示す説明図である。
【図９】本発明の実施の形態１に係わる空調機の抗酸化物質放出ユニットを示す斜視図である。
【図１０】本発明の実施の形態１に係わる空調機の抗酸化物質放出ユニットを示す斜視図である。
【図１１】本発明の実施の形態１に係わる空調機の抗酸化物質超音波放出装置の概観図である。
【図１２】本発明の実施の形態１に係わる空調機の抗酸化物質超音波放出装置を空調機に実装した場合の空調機の室内ユニットを示す正面図である。
【図１３】本発明の実施の形態１に係わる空調機の抗酸化物質超音波放出装置を空調機に実装した場合の空調機の室内ユニットを示す断面図である。
【図１４】本発明の実施の形態１に係わる空調機の抗酸化物質放出ユニットを示す斜視図である。
【図１５】本発明の実施の形態１に係わる空調機の室内ユニットを示す断面図である。
【図１６】本発明の実施の形態に係わる空調機の抗酸化物質放出ユニットを示す斜視図である。
【図１７】本発明の実施の形態１に係わる空調機の室内ユニットを示す正面図である。
【図１８】本発明の実施の形態１に係わる空調機の室内ユニットを示す断面図である。
【図１９】本発明の実施の形態１に係わる空調機の抗酸化物質放出ユニットを示す斜視図である。
【図２０】本発明の実施の形態１に係わる空調機の抗酸化物質放出ユニットの動作を示すタイミングチャート図である。
【図２１】本発明の実施の形態２に係る空調機の室内ユニットを示す断面図である。
【図２２】本発明の実施の形態２に係る空調機の室内ユニットを示す断面図である。
【図２３】本発明の実施の形態２にかかわる抗酸化物質放出装置の要部を示す断面図である。
【図２４】本発明の実施の形態２にかかわる抗酸化物質放出装置の正面図である。
【図２５】本発明の実施の形態２にかかわる抗酸化物質放出装置の正面図である。
【図２６】本発明の実施の形態２にかかわる抗酸化物質放出装置の断面図である。
【図２７】本発明の実施の形態２にかかわる抗酸化物質放出装置の断面図である。
【図２８】本発明の実施の形態２にかかわる抗酸化物質放出装置の斜視図である。
【図２９】本発明の実施の形態２にかかわる抗酸化物質放出装置の断面図である。
【図３０】本発明の実施の形態２にかかわる抗酸化物質放出装置の要部斜視図である。
【図３１】本発明の実施の形態２にかかわる抗酸化物質放出装置を空気調和機に装着した正面図である。
【図３２】本発明の実施の形態２にかかわる抗酸化物質放出装置の断面図である。
【図３３】本発明の実施の形態２にかかわる抗酸化物質放出装置の斜視図である。
【符号の説明】
【０１１５】
１  室内ユニット本体、  ２ａ  前面吸込み口、  ２ｂ  天面吸込み口、  ３  プレフィルタ、  ４  空気清浄フィルタ、  ５ａ〜５ｆ  熱交換器、  ６  室内送風機、  ７  送風路内空気（室内送風機下流）、  ８  ケーシング、  ９  左右風向制御板、  １０  上下風向制御板、  １１  吹出し口、１１a  吹き出し口上面、１１b  孔、  １２  熱交換器フィン、  １３  抗酸化シート、１４  抗酸化物質放出ユニット、  １５  室内吸込み空気、  １６  吸引ファン、  １７  抗酸化物質放出ユニット吸込み口、  １８  吸引ファン吸込み口、  １９  吸引ファン吹出し口、  ２０  吸引ファン吹出し空気、  ２１  抗酸化エレメント、  ２２  抗酸化作用を有する物質を含んだ空気、  ２３  抗酸化物質放出ユニット送風路、  ２４  抗酸化物質放出ユニット吹出し部、  ２５  抗酸化物質放出ユニット吹出し口、  ２６  抗酸化物質放出ユニット吹出し空気、  ２７  抗酸化ハニカムエレメント、  ２８  吹出しノズル、  ２９  抗酸化物質放出ユニット組み込み送風路、  ３０  抗酸化物質放出ユニット組み込み吹出し口、  ３１  筒状ヒーター、  ３２  筒状抗酸化エレメント、  ３３  筒状抗酸化エレメント放出口、  ３４  筒状抗酸化エレメント取り出しつまみ、  ３５  抗酸化物質放出ユニット、  ３６  平板状加熱ヒーター、  ３７  平板状抗酸化エレメント、  ３８  抗酸化物質放出ユニット、  ３９  空気加熱用ヒーター、  ４０  加熱空気、  ４１  抗酸化物質超音波放出装置、  ４２  抗酸化物質供給カセットテープ媒体、  ４３  超音波照射ヘッド、  ４４  テープ巻取り駆動部、  ４５  テープ、  ４６  抗酸化物質封入マイクロカプセル、  ４７  テープ駆動装置、  ４８  テープ取り出し口（閉状態）、  ４８  テープ取り出し口蓋（開状態）、  ４９  抗酸化物質放出ユニット、  ５０  筒上振動発生装置、  ５１  筒上抗酸化エレメント、  ５２  抗酸化物質放出ユニット、  ５３  平板状振動発生装置、  ５４  平板状抗酸化エレメント、  ５５  加湿ユニット、  ５６  デシカントロータ、  ５７  水蒸気搬送路、  ５８  凝縮器、  ５９  水受け皿、  ６０  水位センサ、  ６１  超音波加湿器、  ６２  抗酸化物質放出ユニット、  ６３  吸湿エレメント、  ６４  抗酸化物質放出装置、  ６４ａ  抗酸化物質透過膜、  ６４ｂ  容器、  ６４ｃ  加熱ヒーター、  ６４ｄ  超音波素子、  ６５  透過抗酸化物質、  ６６  液体浸透棒、  ６７  放出部、  ６８  袋、  ６９  放出孔、  ７０  シャッター、  ７１  水蒸気、  ７２  光源。
【図１】
2008070112.tif 000003
【図２】
2008070112.tif 000004
【図３】
2008070112.tif 000005
【図４】
2008070112.tif 000006
【図５】
2008070112.tif 000007
【図６】
2008070112.tif 000008
【図７】
2008070112.tif 000009
【図８】
2008070112.tif 000010
【図９】
2008070112.tif 000011
【図１０】
2008070112.tif 000012
【図１１】
2008070112.tif 000013
【図１２】
2008070112.tif 000014
【図１３】
2008070112.tif 000015
【図１４】
2008070112.tif 000016
【図１５】
2008070112.tif 000017
【図１６】
2008070112.tif 000018
【図１７】
2008070112.tif 000019
【図１８】
2008070112.tif 000020
【図１９】
2008070112.tif 000021
【図２０】
2008070112.tif 000022
【図２１】
2008070112.tif 000023
【図２２】
2008070112.tif 000024
【図２３】
2008070112.tif 000025
【図２４】
2008070112.tif 000026
【図２５】
2008070112.tif 000027
【図２６】
2008070112.tif 000028
【図２７】
2008070112.tif 000029
【図２８】
2008070112.tif 000030
【図２９】
2008070112.tif 000031
【図３０】
2008070112.tif 000032
【図３１】
2008070112.tif 000033
【図３２】
2008070112.tif 000034
【図３３】
2008070112.tif 000035